(57)【特許請求の範囲】
【請求項１】
ソース無線アクセス技術（ＲＡＴ）通信ネットワークと異なるターゲットＲＡＴ通信ネットワークとの間のユーザ装置（ＵＥ）接続について起こり得る無線アクセス技術間（ＩＲＡＴ）ピンポン・ハンドオーバを検出するための方法であって、ＩＲＡＴピンポン・ハンドオーバでは、前記ＵＥ接続が、前記ソースＲＡＴネットワーク内の第１のセルから前記ターゲットＲＡＴネットワーク内の第２のセルにハンドオーバされ、次に、前記ＵＥ接続に関するサービスエリアが前記ソースＲＡＴネットワークから使用可能な所定の限られた時間内に前記ソースＲＡＴネットワーク内の第３のセルにハンドオーバで戻され、前記方法が、前記ターゲットＲＡＴネットワークに関連する制御ノード（２６）によって実現され、
前記制御ノードにより、ＩＲＡＴピンポン・ハンドオーバ情報を決定するステップ（Ｓ１）と、
前記ＩＲＡＴピンポン・ハンドオーバ情報に関して前記ソースＲＡＴネットワークからのＩＲＡＴハンドオーバ要求メッセージに関連する前記ＵＥ接続を評価するステップ（Ｓ２）と、
前記評価に基づいて、前記ＵＥ接続が前記ＩＲＡＴピンポン・ハンドオーバ情報に関連する１つ又は複数のピンポン条件を満たすと判断し、測定持続時間ウィンドウが切れる前に前記ＵＥ接続が前記ソースＲＡＴネットワークにハンドオーバで戻されると判断するステップ（Ｓ３）と
ＩＲＡＴピンポン・ハンドオーバ条件の指示を前記ソースＲＡＴネットワーク内の基地局（２８）に提供するステップ（Ｓ４）と、
を含む、方法。
【請求項２】
前記ＩＲＡＴピンポン・ハンドオーバが前記ソースＲＡＴネットワーク内の異なる基地局を伴い、前記方法が、前記制御ノードが前記ＩＲＡＴピンポン・ハンドオーバ条件の前記指示を前記ソースＲＡＴネットワーク内のハンドオーバ・ソース基地局に提供することを含む、請求項１記載の方法。
【請求項３】
前記判断ステップが、ＩＲＡＴ測定構成情報、ＵＥハンドオーバ測定期間情報、及びＩＲＡＴハンドオーバ期間情報を含む前記ＩＲＡＴハンドオーバ要求メッセージを前記ソースＲＡＴネットワーク内の前記ソース基地局から受信することを含み、
前記判断ステップが、前記ＵＥハンドオーバ測定期間が切れる前であって、しかも前記ＩＲＡＴハンドオーバ期間が切れる前に、前記ＵＥ接続が前記ソースＲＡＴネットワークにハンドオーバで戻されるはずであると判断することを含む、請求項１又は２のいずれかに記載の方法。
【請求項４】
前記ソースＲＡＴネットワークがＬＴＥネットワークであり、前記ターゲットＲＡＴ通信ネットワークがＵＴＲＡＮネットワークであり、前記制御ノードが無線ネットワーク・コントローラ（ＲＮＣ）であり、前記方法が、前記ＲＮＣが、
前記ＩＲＡＴ測定構成情報、前記ＵＥハンドオーバ測定期間情報、及び前記ＩＲＡＴハンドオーバ期間情報を含むハンドオーバ必要／リロケーション要求メッセージを前記第１のセルから受信することと、
ＩＲＡＴピンポン・ハンドオーバ情報要素を有するハンドオーバ・レポートを含む無線情報管理（ＲＩＭ）要求転送メッセージを前記第１のセルに送信することと、
を更に含む、請求項３記載の方法。
【請求項５】
前記ＲＮＣが、前記ＵＥ接続のＩＲＡＴハンドオーバ・ピンポンが発生したかどうかとは無関係に前記ＲＩＭメッセージを送信する、請求項４記載の方法。
【請求項６】
前記ＲＮＣが、前記第２のセル及び／又は前記ターゲットＲＡＴネットワークへの前記ＵＥ接続の将来のハンドオーバを回避するために、前記第１のセルに対応している基地局（２８）に前記ハンドオーバ・レポートを送信して、前記基地局が前記第２のセル及び／又は前記ターゲットＲＡＴネットワークに関連するモビリティ又はハンドオーバ設定を調整できるようにする、請求項４記載の方法。
【請求項７】
前記ハンドオーバ・レポートが、ＩＲＡＴピンポン・ハンドオーバ・インジケータを含むＨＯレポート・タイプ情報要素（ＩＥ）又はＨＯタイプＩＥを含む、請求項４記載の方法。
【請求項８】
前記制御ノードが、ＵＥ測定及びレポート・トリガを構成するために使用される、前記第３のセル及び／又は前記ソースＲＡＴネットワークに関連するハンドオーバ又はモビリティ・パラメータを調整する、請求項３記載の方法。
【請求項９】
前記ＩＲＡＴピンポン・ハンドオーバ指示が、前記第３のセルに対応している基地局から、前記第１のセルに対応している基地局（２８）に送信される、請求項１乃至８のいずれかに記載の方法。
【請求項１０】
前記ＩＲＡＴピンポン・ハンドオーバが前記ソースＲＡＴネットワーク内の異なる基地局を伴い、前記方法が、制御ノードが前記第２のセルへの前記ＵＥ接続の将来のハンドオーバを回避するために、前記ソースＲＡＴネットワーク内のハンドオーバ・ソース基地局へのその後の配信のために前記ＩＲＡＴピンポン・ハンドオーバ条件の前記指示を前記ソースＲＡＴネットワーク内のハンドオーバ・ターゲット基地局に提供して、前記ハンドオーバ・ソース基地局が前記第２のセル及び／又は前記ターゲットＲＡＴネットワークに関連するモビリティ又はハンドオーバ設定を調整できるようにすることを含む、請求項１乃至９のいずれかに記載の方法。
【請求項１１】
前記ソースＲＡＴネットワークがＬＴＥネットワークであり、前記ターゲットＲＡＴ通信ネットワークがＵＴＲＡＮネットワークであり、前記制御ノードが無線ネットワーク・コントローラ（ＲＮＣ）（２６）であり、前記方法が、前記ＲＮＣが、
ターゲットからソースへの透明コンテナ情報要素（ＩＥ）内の前記ＩＲＡＴピンポン・ハンドオーバ指示を含むリロケーション要求確認／ハンドオーバ・メッセージを前記第３のセルに送信して、前記第３のセルが前記ＩＲＡＴピンポン・ハンドオーバ指示を前記第１のセルに提供できるようにすること
を更に含む、請求項１乃至１０のいずれかに記載の方法。
【請求項１２】
前記ソースＲＡＴネットワークがＬＴＥネットワークであり、前記ターゲットＲＡＴ通信ネットワークがＵＴＲＡＮネットワークであり、前記制御ノードが無線ネットワーク・コントローラ（ＲＮＣ）（２６）であり、前記方法が、前記ＲＮＣが、
ソースからターゲットへの透明コンテナ内のＩＲＡＴピンポン・トリガ情報要素（ＩＥ）及びＩＲＡＴピンポン・タイマＩＥを含むハンドオーバ必要／リロケーション要求メッセージを、前記第１のセルに対応している基地局から受信すること
を更に含む、請求項１乃至１１のいずれかに記載の方法。
【請求項１３】
前記制御ノードがＩＲＡＴピンポン・タイマを含み、前記方法が、前記制御ノードが、
前記ＵＥ接続が前記ソースＲＡＴネットワーク内の前記第１のセルから前記ターゲットＲＡＴネットワーク内の前記第２のセルにハンドオーバされると判断することと、
前記ＩＲＡＴピンポン・タイマが切れる前に前記ＵＥ接続のハンドオーバが前記ソースＲＡＴネットワークに対して発生し、前記ＵＥ接続に関するサービスエリアが前記ソースＲＡＴネットワークから使用可能である場合にＩＲＡＴピンポン発生を決定することと、
を更に含む、請求項１乃至１２のいずれかに記載の方法。
【請求項１４】
前記ソースＲＡＴネットワークがＬＴＥネットワークであり、前記ターゲットＲＡＴ通信ネットワークがＵＴＲＡＮネットワークであり、前記制御ノードが無線ネットワーク・コントローラ（ＲＮＣ）（２６）であり、前記方法が、前記ＲＮＣが、ターゲットからソースへの透明コンテナを介して前記第３のセルにＩＲＡＴピンポン指示を送信して、前記第３のセルに対応している基地局がＩＲＡＴピンポン指示メッセージを前記第１のセルに送信できるようにすることを更に含む、請求項１３記載の方法。
【請求項１５】
前記ソースＲＡＴネットワークがＬＴＥネットワークであり、前記ターゲットＲＡＴ通信ネットワークがＵＴＲＡＮネットワークであり、前記制御ノードが無線ネットワーク・コントローラ（ＲＮＣ）（２６）であり、前記方法が、前記ＲＮＣが、リロケーション要求確認メッセージをコア・ネットワーク（ＣＮ）ノードに送信し、無線情報管理（ＲＩＭ）要求転送メッセージを介してＩＲＡＴピンポン指示を前記第１のセルに送信することを更に含む、請求項１３記載の方法。
【請求項１６】
前記制御ノードが、運用及び整備ノードからＩＲＡＴピンポン・ハンドオーバ検出時間ウィンドウを受信する、請求項１乃至１３のいずれかに記載の方法。
【請求項１７】
ソース無線アクセス技術（ＲＡＴ）通信ネットワークと異なるターゲットＲＡＴ通信ネットワークとの間のユーザ装置（ＵＥ）接続について起こり得る無線アクセス技術間（ＩＲＡＴ）ピンポン・ハンドオーバを検出するための制御ノード（２６）であって、ＩＲＡＴピンポン・ハンドオーバでは、前記ＵＥ接続が、前記ソースＲＡＴネットワーク内の第１のセルから前記ターゲットＲＡＴネットワーク内の第２のセルにハンドオーバされ、次に、前記ＵＥ接続に関するサービスエリアが前記ソースＲＡＴネットワークから使用可能な所定の限られた時間内に前記ソースＲＡＴネットワーク内の第３のセルにハンドオーバで戻され、前記制御ノードが前記ターゲットＲＡＴネットワークに関連付けられ、
前記制御ノードにより、ＩＲＡＴピンポン・ハンドオーバ情報を決定することと、
前記ハンドオーバ・ピンポン情報に関して前記ソースＲＡＴネットワークからのＩＲＡＴハンドオーバ要求メッセージに関連する前記ＵＥ接続を評価することと、
前記評価に基づいて、前記ＵＥ接続が前記ハンドオーバ・ピンポン情報に関連する１つ又は複数のピンポン条件を満たすと判断し、測定持続時間ウィンドウが切れる前に前記ＵＥ接続が前記ソースＲＡＴネットワークにハンドオーバで戻されると判断することと、
ＩＲＡＴピンポン・ハンドオーバ条件の指示を前記ソースＲＡＴネットワーク内の基地局（２８）に提供することと、
を実行するように構成されたデータ処理回路（２６）を含む、制御ノード。
【請求項１８】
前記ＩＲＡＴピンポン・ハンドオーバが前記ソースＲＡＴネットワーク内の異なる基地局を伴い、前記制御ノードが、前記ＩＲＡＴピンポン・ハンドオーバ条件の前記指示を前記ソースＲＡＴネットワーク内のハンドオーバ・ソース基地局に提供するように構成される、請求項１７記載の制御ノード。
【請求項１９】
前記制御ノードが、
ＩＲＡＴ測定構成情報、ＵＥハンドオーバ測定期間情報、及びＩＲＡＴハンドオーバ期間情報を含む前記ＩＲＡＴハンドオーバ要求メッセージを前記ソースＲＡＴネットワーク内のソース基地局から受信することと、
前記ＵＥハンドオーバ測定期間が切れる前であって、しかも前記ＩＲＡＴハンドオーバ期間が切れる前に、前記ＵＥ接続が前記ソースＲＡＴネットワークにハンドオーバで戻されるはずであると判断することと、
を実行するように構成される、請求項１７又は１８に記載の制御ノード。
【請求項２０】
前記ソースＲＡＴネットワークがＬＴＥネットワークであり、前記ターゲットＲＡＴ通信ネットワークがＵＴＲＡＮネットワークであり、前記制御ノードが無線ネットワーク・コントローラ（ＲＮＣ）（２６）であり、前記ＲＮＣが、
前記ＩＲＡＴ測定構成情報、前記ＵＥハンドオーバ測定期間情報、及び前記ＩＲＡＴハンドオーバ期間情報を含むハンドオーバ必要／リロケーション要求メッセージを前記第１のセルから受信することと、
ＩＲＡＴピンポン・ハンドオーバ情報要素を有するハンドオーバ・レポートを含む無線情報管理（ＲＩＭ）要求転送メッセージを前記第１のセルに送信することと、
を実行するように構成される、請求項１９記載の制御ノード。
【請求項２１】
前記ハンドオーバ・レポートが、ＩＲＡＴピンポン・ハンドオーバ・インジケータを含むＨＯレポート・タイプ情報要素（ＩＥ）又はＨＯタイプＩＥを含む、請求項２０記載の制御ノード。
【請求項２２】
前記制御ノードが、前記第３のセル及び／又は前記ソースＲＡＴネットワークに関連するハンドオーバ又はモビリティ設定を調整するように構成される、請求項１９記載の制御ノード。
【請求項２３】
前記ソースＲＡＴネットワークがＬＴＥネットワークであり、前記ターゲットＲＡＴ通信ネットワークがＵＴＲＡＮネットワークであり、前記制御ノードが無線ネットワーク・コントローラ（ＲＮＣ）（２６）であり、前記ＲＮＣが、ターゲットからソースへの透明コンテナ情報要素（ＩＥ）内のＩＲＡＴピンポン・ハンドオーバ指示を含むリロケーション要求確認／ハンドオーバ・メッセージを前記第３のセルに送信して、前記第３のセルが前記ＩＲＡＴピンポン・ハンドオーバ指示を前記第１のセルに提供できるようにするように構成される、請求項１７乃至２２のいずれかに記載の制御ノード。
【請求項２４】
前記ソースＲＡＴネットワークがＬＴＥネットワークであり、前記ターゲットＲＡＴ通信ネットワークがＵＴＲＡＮネットワークであり、前記制御ノードが無線ネットワーク・コントローラ（ＲＮＣ）（２６）であり、前記ＲＮＣが、ソースからターゲットへの透明コンテナ内のＩＲＡＴピンポン・トリガ情報要素（ＩＥ）及びＩＲＡＴピンポン・タイマＩＥを含むハンドオーバ必要／リロケーション要求メッセージを、前記第１のセルに対応している基地局から受信するように構成される、請求項１７乃至２２のいずれかに記載の制御ノード。
【請求項２５】
前記制御ノードがＩＲＡＴピンポン・タイマを含み、前記制御ノードが、
前記ＵＥ接続が前記ソースＲＡＴネットワーク内の前記第１のセルから前記ターゲットＲＡＴネットワーク内の前記第２のセルにハンドオーバされると判断することと、
前記ＩＲＡＴピンポン・タイマが切れる前に前記ＵＥ接続のハンドオーバが前記ソースＲＡＴネットワークに対して発生した場合にＩＲＡＴピンポン発生を決定することと、
を実行するように構成される、請求項１７乃至２４のいずれかに記載の制御ノード。
【請求項２６】
前記ソースＲＡＴネットワークがＬＴＥネットワークであり、前記ターゲットＲＡＴ通信ネットワークがＵＴＲＡＮネットワークであり、前記制御ノードが無線ネットワーク・コントローラ（ＲＮＣ）（２６）であり、前記ＲＮＣが、ターゲットからソースへの透明コンテナを介して前記第３のセルにＩＲＡＴピンポン指示を送信して、前記第３のセルに対応している基地局がＩＲＡＴピンポン指示メッセージを前記第１のセルに送信できるようにするように構成される、請求項２５記載の制御ノード。
【請求項２７】
前記ソースＲＡＴネットワークがＬＴＥネットワークであり、前記ターゲットＲＡＴ通信ネットワークがＵＴＲＡＮネットワークであり、前記制御ノードが無線ネットワーク・コントローラ（ＲＮＣ）（２６）であり、前記ＲＮＣが、リロケーション要求確認メッセージをコア・ネットワーク（ＣＮ）ノード（１６）に送信し、無線情報管理（ＲＩＭ）要求転送メッセージを介してＩＲＡＴピンポン指示を前記第１のセルに送信するように構成される、請求項２５記載の制御ノード。
【請求項２８】
ソース無線アクセス技術（ＲＡＴ）通信ネットワークと異なるターゲットＲＡＴ通信ネットワークとの間のユーザ装置（ＵＥ）接続について起こり得る無線アクセス技術間（ＩＲＡＴ）ピンポン・ハンドオーバを検出することに関連する方法であって、ＩＲＡＴピンポン・ハンドオーバでは、前記ＵＥ接続が、前記ソースＲＡＴネットワーク内の第１のセルから前記ターゲットＲＡＴネットワーク内の第２のセルにハンドオーバされ、次に、前記ＵＥ接続に関するサービスエリアが前記ソースＲＡＴネットワークから使用可能な所定の限られた時間内に前記ソースＲＡＴネットワーク内の第３のセルにハンドオーバで戻され、前記方法が、前記ソースＲＡＴネットワーク内の前記第１のセルに関連する基地局（２８）によって実現され、
前記基地局により、前記ターゲットＲＡＴ通信ネットワークに関連する制御ノードにハンドオーバ又はセル・リロケーション要求メッセージを送信するステップ（Ｓ１０）と、
前記ＵＥ接続が前記ハンドオーバ・ピンポン情報に関連する１つ又は複数のピンポン条件を満たす場合、並びに、測定持続時間ウィンドウが切れる前に前記ＵＥ接続が前記ソースＲＡＴネットワークにハンドオーバで戻される場合に、ＩＲＡＴピンポン・ハンドオーバ条件の指示を受信するステップ（Ｓ１２）と、
前記第２のセルへの前記ＵＥ接続の将来のハンドオーバを回避するために、前記第２のセル及び／又は前記ターゲットＲＡＴネットワークに関するモビリティ・パラメータを調整するステップ（Ｓ１４）と、
を含む、方法。
【請求項２９】
前記ソースＲＡＴネットワークがＬＴＥネットワークであり、前記ターゲットＲＡＴ通信ネットワークがＵＴＲＡＮネットワークであり、前記制御ノードが無線ネットワーク・コントローラ（ＲＮＣ）（２６）であり、前記ハンドオーバ又はセル・リロケーション要求メッセージがＩＲＡＴ測定構成情報及びＵＥハンドオーバ測定期間情報を含み、前記基地局が、ＩＲＡＴピンポン・ハンドオーバ情報要素を有するハンドオーバ・レポートを含む無線情報管理（ＲＩＭ）要求転送メッセージを受信する、請求項２８記載の方法。
【請求項３０】
前記ハンドオーバ又はセル・リロケーション要求メッセージがＩＲＡＴハンドオーバ期間情報を含む、請求項２９記載の方法。
【請求項３１】
前記基地局が、前記第３のセルに対応している基地局からＩＲＡＴピンポン・ハンドオーバ指示を受信する、請求項２８乃至３０のいずれかに記載の方法。
【請求項３２】
観察期間についてＩＲＡＴピンポン・ハンドオーバに関する統計情報を決定し、前記決定された統計情報を運用及び整備ノードに送信することを更に含む、請求項２８乃至３１のいずれかに記載の方法。
【請求項３３】
ソース無線アクセス技術（ＲＡＴ）通信ネットワークと異なるターゲットＲＡＴ通信ネットワークとの間のユーザ装置（ＵＥ）接続について起こり得る無線アクセス技術間（ＩＲＡＴ）ピンポン・ハンドオーバを検出する際に使用するためのソース無線アクセス技術（ＲＡＴ）基地局（２８）であって、ＩＲＡＴピンポン・ハンドオーバでは、前記ＵＥ接続が、前記ソースＲＡＴネットワーク内にあって前記ソースＲＡＴ基地局によって対応されている第１のセルから前記ターゲットＲＡＴネットワーク内の第２のセルにハンドオーバされ、次に、前記ＵＥ接続に関するサービスエリアが前記ソースＲＡＴネットワークから使用可能な所定の限られた時間内に前記ソースＲＡＴネットワーク内の第３のセルにハンドオーバで戻され、前記ソースＲＡＴ基地局が、
前記ターゲットＲＡＴ通信ネットワークに関連する制御ノードにハンドオーバ又はセル・リロケーション要求メッセージを送信するように構成された送信機（３８）と、
前記ＵＥ接続が前記ハンドオーバ・ピンポン情報に関連する１つ又は複数のピンポン条件を満たす場合、並びに、測定持続時間ウィンドウが切れる前に前記ＵＥ接続が前記ソースＲＡＴネットワークにハンドオーバで戻される場合に、ＩＲＡＴピンポン・ハンドオーバ条件の指示を受信するように構成された受信機（３８）と、
前記第２のセルへの前記ＵＥ接続の将来のハンドオーバを回避するために、前記第２のセル及び／又は前記ターゲットＲＡＴネットワークに関するモビリティ・パラメータを調整するように構成されたデータ・プロセッサ（３６）と、
を含む、ソースＲＡＴ基地局。
【請求項３４】
前記ソースＲＡＴネットワークがＬＴＥネットワークであり、前記ターゲットＲＡＴ通信ネットワークがＵＴＲＡＮネットワークであり、前記制御ノードが無線ネットワーク・コントローラ（ＲＮＣ）（２６）であり、前記ハンドオーバ又はセル・リロケーション要求メッセージがＩＲＡＴ測定構成情報及びＵＥハンドオーバ測定期間情報を含み、前記基地局が、ＩＲＡＴピンポン・ハンドオーバ情報要素を有するハンドオーバ・レポートを含む無線情報管理（ＲＩＭ）要求転送メッセージを受信する、請求項３３記載のソースＲＡＴ基地局。
【請求項３５】
前記基地局が、前記第３のセルに対応している基地局からＩＲＡＴピンポン・ハンドオーバ指示を受信する、請求項３３又は３４に記載のソースＲＡＴ基地局。
【請求項３６】
前記第１及び第３のセルが同じセルである、請求項３３乃至３５のいずれかに記載のソースＲＡＴ基地局。
【請求項３７】
ソース無線アクセス技術（ＲＡＴ）通信ネットワーク及び異なるターゲットＲＡＴ通信ネットワークと通信するように構成された運用及び整備ノード（１０）であって、
観察期間中にＩＲＡＴハンドオーバ・ピンポン・イベントに関する１つ又は複数の制御ノードによって決定された統計情報を受信することと、
前記受信した統計情報に基づいてＩＲＡＴハンドオーバ・ピンポン検出時間ウィンドウを決定することと、
ネットワーク制御ノードが、測定持続時間ウィンドウが切れる前に前記ソースＲＡＴネットワークにハンドオーバで戻されるユーザ装置（ＵＥ）接続に関するＩＲＡＴハンドオーバ・ピンポン状況を検出し、前記ＵＥ接続の更なるＩＲＡＴピンポン・ハンドオーバを回避するためのアクションを行えるようにするために、前記決定されたＩＲＡＴハンドオーバ・ピンポン検出時間ウィンドウを提供することと、
ＩＲＡＴピンポン・ハンドオーバにおいて、前記ＵＥ接続が前記ソースＲＡＴネットワーク内の第１のセルから前記ターゲットＲＡＴネットワーク内の第２のセルにハンドオーバされ、次に所定の限られた時間内に前記ソースＲＡＴネットワーク内の第３のセルにハンドオーバで戻されることと、
を実行するように構成されたデータ処理回路（１２）を含む、運用及び整備ノード。
【発明の詳細な説明】
【技術分野】
【０００１】
[0001]  本技術は、異なる無線アクセス技術（ＲＡＴ）を伴う無線通信に関する。
【背景技術】
【０００２】
[0002]  図１に示されているように、ロング・ターム・エボリューション（ＬＴＥ）及びＧＳＭ（登録商標）  ＥＤＧＥ無線アクセス・ネットワーク／ユニバーサル地上無線アクセス・ネットワーク（ＧＥＲＡＮ／ＵＴＲＡＮ）アーキテクチャは、それぞれの技術のコア・ネットワーク・ノード間でインターフェースを介して通信する。その内容が参照により本明細書に組み込まれる３ＧＰＰ  ＴＳ２３．４０１を参照されたい。ＬＴＥ及びＧＥＲＡＮ／ＵＴＲＡＮ技術が相互に通信するための方法の１つは無線情報管理（ＲＩＭ）プロトコルによるものであり、これは、その内容が参照により本明細書に組み込まれる３ＧＰＰ  ＴＳ４８．０１８に指定されているように、事前構成済みの方法でＬＴＥからＧＥＲＡＮ／ＵＴＲＡＮへの情報の転送を可能にするものである。ＬＴＥからＧＥＲＡＮ／ＵＴＲＡＮネットワークへの不必要なハンドオーバを回避するために、特定のタイプのＲＩＭ対話が定義されている。不必要なハンドオーバはピンポン・ハンドオーバ（ping pong handover）と呼ばれる場合が多い。本明細書では、ハンドオーバ又はＵＥハンドオーバはＵＥ接続のハンドオーバを指している。
【０００３】
[0003]  図２は、ＲＡＴ１と呼ばれる第１のタイプの無線アクセス技術（ＲＡＴ）を使用する第１の無線アクセス・ネットワーク（ＲＡＮ）基地局と、ＲＡＴ２と呼ばれる第２の異なるタイプの無線アクセス技術（ＲＡＴ）を使用する第２のＲＡＮ基地局との間のハンドオーバ（ＨＯ）ピンポンの一例を示している。それぞれの基地局はそれぞれのコア・ネットワーク・ノードに関連付けられる。基地局を特徴付ける無線アクセス・ネットワーク（ＲＡＮ）のタイプ次第で、コア・ネットワーク・ノードは、例えば、ＵＴＲＡＮネットワーク用のサービングＧＰＲＳサポート・ノード（ＳＧＳＮ）ノード又はＥ−ＵＴＲＡＮ或いはＬＴＥタイプのネットワーク用のモビリティ管理エンティティ（ＭＭＥ）であるか若しくはそれを含むことができる。一方又は両方／複数のコア・ネットワーク・ノードは、ハンドオーバ・ピンポン検出器及びＵＥコンテキスト・メモリ４４を含む。ハンドオーバ・ピンポン検出器は、ＵＥ接続がハンドオーバ・ピンポン・シナリオの場合であるかどうかを判断する。ハンドオーバ・ピンポン検出器は、ＵＥに関する履歴情報、特に、無線端末３０について過去に発生したハンドオーバ・イベントを表すリストＬを含む履歴情報を使用することにより、ＵＥがハンドオーバ・ピンポン・シナリオの場合であるかどうかを確認する。履歴リストＬは、ＵＥの移動先である基地局に対応するネットワーク・コア・ネットワークによって、適宜、維持され更新される。この例では、図２は、ＵＥコンテキスト・メモリ内にリストＬを記憶することになるＵＥの最終ハンドオーバに併せて、あるコア・ネットワーク・ノードから他のコア・ネットワーク・ノードに転送されているリストＬを示している。
【０００４】
[0004]  図３は、いずれも参照により本明細書に組み込まれる３ＧＰＰ  ＴＳ４８．０１８、ＴＳ３６．４１３、及びＴＳ２５．４１３に現在含まれている不必要なＩＲＡＴハンドオーバ手順に関するメッセージ・シーケンス・チャートを示している。
【０００５】
[0005]  ＬＴＥ無線アクセス・ネットワーク（ＲＡＮ）は、ＬＴＥ（即ち、ＬＴＥ基地局はｅＮＢと呼ばれる）から、ＧＥＲＡＮ／ＵＴＲＡＮにおいてセル２内のＮＢ２に結合された無線ネットワーク・コントローラ（ＲＮＣ）（ＧＥＲＡＮ／ＵＴＲＡＮ基地局はＮｏｄｅＢ又はＮＢと呼ばれる）に、ＵＥ接続をハンドオーバするための特定の測定基準及びしきい値を構成する。この測定構成は、３ＧＰＰ  ＴＳ２５．４１３においてＩＲＡＴ測定構成ＩＥと命名された以下のメッセージで提供される。
【０００６】
[0006]  図４の構成は、ハンドオーバ信号内で、即ち、ＬＴＥにおいて生成されたハンドオーバ必要メッセージの一部として、ソースＢＳＳからターゲットＢＳＳへの透明コンテナ（transparent container）ＩＥ（ＧＥＲＡＮへのハンドオーバの場合、ＴＳ４８．０１８を参照）を介して又はソースＲＮＣからターゲットＲＮＣへの透明コンテナＩＥ（ＵＴＲＡＮへのハンドオーバの場合、ＴＳ２５．４１３を参照）を介して、ＬＴＥノードによってＵＴＲＡＮ／ＧＥＲＡＮノードに送信される（図１ａのステップ１及びステップ２に示されている通り）。この構成を受信すると、ＵＴＲＡＮ／ＧＥＲＡＮは、測定持続時間ＩＥと等しい持続時間の間、Ｅ−ＵＴＲＡ周波数ＩＥに示されているＥ−ＵＴＲＡＮ周波数について、ＵＥ測定を実行するために、ＬＴＥからハンドオーバされたＵＥを構成する必要がある。測定結果がＲＳＲＰ  ＩＥ及びＲＳＲＱ  ＩＥに指定された事前構成済みのしきい値を上回る場合、ＵＥ測定が行われるＬＴＥセルは、ターゲットＵＴＲＡＮ／ＧＥＲＡＮ基地局に送信され、それによって記録される。ＵＥによって実行された測定が測定持続時間全体の間、構成済みしきい値を達成する場合、ＲＮＣは、以下の条件（ＴＳ２５．４１３から抜粋）を満足する場合に、ＧＥＲＡＮ／ＵＴＲＡＮからＥ−ＵＴＲＡＮへのＨＯレポート・メッセージの配信により（図１ａのステップ５を参照）、不必要なＩＲＡＴハンドオーバ指示をトリガすることになる。
しきい値がある場合に、指示された期間中に受信したすべてのＵＥ測定がそのしきい値を超えたセル。測定持続時間全体の間、その測定結果がしきい値を超えるソースＲＡＴセルが全く存在しないが、ソースＲＡＴセルのグループが一緒に、測定期間全体の間、しきい値を達成するサービスエリアを提供する場合、第１のＵＥ測定レポートにおいてしきい値を超えるセルが含まれるＨＯレポートもトリガしなければならない。両方のしきい値が存在する場合、指示された無線条件を満足するために、受信した無線測定はＲＳＲＰ及びＲＳＲＱの両方のしきい値を超えなければならない。
【０００７】
[0007]  上記の引用文から分かるように、ＨＯレポートＩＥは、報告された測定が構成済み測定ウィンドウの持続時間全体の間、構成済みしきい値を満足する場合にのみ生成されることになる。すべての条件を満足する場合、ＲＩＭを介してＵＴＲＡＮ／ＧＥＲＡＮからＬＴＥに送信されるＨＯレポートＩＥは以下のように構築される（ＴＳ３６．４１３を参照）。
【０００８】
[0008]  ＨＯレポートＩＥでは、候補セル・リストＩＥで報告されたセルは、良好で十分なサービスエリアを提供しているＬＴＥセルであり、ＨＯターゲットＩＤ  ＩＥは、ＬＴＥにある間、それに向かうハンドオーバを回避することができるセルである。
【０００９】
[0009]  新しいシナリオは、自己編成ネットワーク（ＳＯＮ）機能強化作業項目記述（ＷＩＤ）の一部として対処しなければならない。このシナリオはＲ３−１２０４００に以下のように記載されている。即ち、「ＲＡＴ間（inter RAT)モビリティでは、ピンポンＨＯは、ソースＲＡＴ（Ａ）内のソース・セルから、ソースＲＡＴとは異なるターゲットＲＡＴ（Ｂ）内のターゲット・セルへのハンドオーバとして理解され、ＵＥは「定義可能な限られた時間」内にソースＲＡＴ（Ａ）内のセルにハンドオーバで戻される。更に、ターゲットＲＡＴにおける滞在は依然として「定義可能な限られた時間」内であるが、ＵＥがソースＲＡＴにハンドオーバする前に２つ以上のセルを通過する場合、ＲＡＴ間ピンポンとしても考慮しなければならない。」
【００１０】
[0010]  ＵＥがＵＴＲＡＮ／ＧＥＲＡＮからＬＴＥにハンドオーバし、ＵＴＲＡＮ／ＧＥＲＡＮに戻る場合、上記のシナリオは容易に検出することができる。というのは、ピンポン検出のためのＲＡＮ３による想定では、ＵＥが同じ無線ネットワーク・コントローラ／基地局サブシステム（ＲＮＣ／ＢＳＳ）ドメイン内のセルに戻る場合にのみピンポン・イベントが検出されるからである。
【００１１】
[0011]  ＵＴＲＡＮ／ＧＥＲＡＮ−ＬＴＥ−ＵＴＲＡＮ／ＧＥＲＡＮタイプのピンポン・ハンドオーバ・シナリオの間、ＵＥ履歴情報ＩＥは、ハンドオーバ信号の一部として透明コンテナでＬＴＥから最終ターゲットＵＴＲＡＮ／ＧＥＲＡＮ  ＲＮＣ／ＢＳＳに送信されることになる。このＩＥから、ターゲットＵＴＲＡＮ／ＧＥＲＡＮ  ＲＮＣ／ＢＳＳは、ＵＥがＵＴＲＡＮ／ＧＥＲＡＮからＬＴＥに移動し、更にＵＴＲＡＮ／ＧＥＲＡＮに戻ったことを推論することができる。このため、ＵＴＲＡＮ／ＧＥＲＡＮ無線ネットワーク・システム（ＲＮＳ）は、そのピンポン・イベントに関係する特定のＬＴＥセルに向かうモビリティ構成パラメータを調整し、同様のピンポン・イベントが再発生するのを防止することができる。
【００１２】
[0012]  しかし、ＬＴＥからＧＥＲＡＮ／ＵＴＲＡＮへ更にＬＴＥに戻るピンポンの場合、ＵＥ履歴情報ＩＥを使用するか又はＬＴＥ  ＲＮＳ内部分析を使用して、ピンポン効果は回避されない。Ｅ−ＵＴＲＡＮ→ＵＴＲＡＮ→Ｅ−ＵＴＲＡＮハンドオーバ・ピンポンによる影響を受けるＵＥを示している図６の例について検討する。図６はセルも取り入れている。セルは、特定の無線アクセス技術（ＲＡＴ）を使用して特定の搬送周波数で基地局によって対応されるエリアに相当する。基地局１はＥ−ＵＴＲＡＮ  ＲＡＴを使用してこの例のセル１に対応し、従って、この基地局はｅＮＢ１と表記される。基地局２はＵＴＲＡＮ  ＲＡＴを使用してこの例のセル２に対応し、従って、この基地局はＮＢ２と表記される。ＮＢ２は、ＲＮＣ２と表記される無線ネットワーク・コントローラ（ＲＮＣ）によって制御される。基地局３はＥ−ＵＴＲＡＮ  ＲＡＴを使用してこの例のセル３に対応し、従って、この基地局はｅＮＢ３と表記される。ＵＥ接続のハンドオーバはセル間のものとして言及されるが、複数ノードが複数セルに対応し、それらを制御し、ハンドオーバ機能及び信号を担当することは言うまでもない。ここで、ＵＥは、ピンポン・モビリティが開始されたソース・セル１から、ｅＮＢ３によって対応されるセル３にハンドオーバすることができる。この場合、ＵＥ履歴情報ＩＥがソースｅＮＢ１に到達しないこと並びにピンポン・イベントが回避可能であるかどうかをｅＮＢ１が把握していないことも、ピンポンが発生したソースｅＮＢ（ｅＮＢ１）で推論することは不可能である。従って、問題は、このシナリオに記載されているピンポン効果の効率的な検出及び解決を保証する方法である。
【発明の概要】
【発明が解決しようとする課題】
【００１３】
[0013]  Ｒ３−１２０４００には、この問題に対して可能な解決策の簡単な説明が提示されている。しかし、これらの解決策は、新しいＸ２手順又は既存の手順の変更のいずれかの定義に基づくものであり、従って、既存のｅＮＢ及びインターフェースに対するその影響力が非常に大きいので効率的ではない。従って、より単純でより効率的な解決策が望ましい。
【課題を解決するための手段】
【００１４】
[0014]  ソース無線アクセス技術（ＲＡＴ）通信ネットワークと異なるターゲットＲＡＴ通信ネットワークとの間のユーザ装置（ＵＥ）接続について起こり得る無線アクセス技術間（ＩＲＡＴ）ピンポン・ハンドオーバを検出するための方法及び装置が記載されている。ＩＲＡＴピンポン・ハンドオーバでは、ＵＥ接続は、ソースＲＡＴネットワーク内の第１のセルからターゲットＲＡＴネットワーク内の第２のセルにハンドオーバされ、次に、ＵＥ接続に関するサービスエリアがソースＲＡＴネットワークから使用可能な所定の限られた時間内にソースＲＡＴネットワーク内の第３のセルにハンドオーバで戻される。ターゲットＲＡＴネットワークに関連する制御ノードは、ＩＲＡＴピンポン・ハンドオーバ情報を決定することと、ＩＲＡＴピンポン・ハンドオーバ情報に関してソースＲＡＴネットワークからのＩＲＡＴハンドオーバ要求メッセージに関連するＵＥ接続を評価することと、その評価に基づいて、ＵＥ接続がＩＲＡＴピンポン・ハンドオーバ情報に関連する１つ又は複数のピンポン条件を満たすと判断することと、ＩＲＡＴピンポン・ハンドオーバ条件の指示をソースＲＡＴネットワーク内の基地局に提供することを実行するように構成することができる。
【００１５】
[0015]  ＩＲＡＴピンポン・ハンドオーバはソースＲＡＴネットワーク内の異なる基地局を伴う可能性があり、その場合、制御ノードはＩＲＡＴピンポン・ハンドオーバ条件の指示をソースＲＡＴネットワーク内のハンドオーバ・ソース基地局に提供する。
【００１６】
[0016]  いくつかの実施形態の例では、判断ステップは、ＩＲＡＴ測定構成情報、ＵＥハンドオーバ測定期間情報、及びＩＲＡＴハンドオーバ期間情報を含むＩＲＡＴハンドオーバ要求メッセージをソースＲＡＴネットワーク内のソース基地局から受信することを含む。判断ステップは、ＵＥハンドオーバ測定期間が切れる前であって、しかもＩＲＡＴハンドオーバ期間が切れる前に、ＵＥ接続がソースＲＡＴネットワークにハンドオーバで戻されるはずであると判断することを更に含む。１つの適用例では、ソースＲＡＴネットワークがＬＴＥネットワークであり、ターゲットＲＡＴ通信ネットワークがＵＴＲＡＮネットワークであり、制御ノードが無線ネットワーク・コントローラ（ＲＮＣ）である。ＲＮＣは、ＩＲＡＴ測定構成情報、ＵＥハンドオーバ測定期間情報、及びＩＲＡＴハンドオーバ期間情報を含むハンドオーバ必要／リロケーション要求メッセージを第１のセルから受信し、ＩＲＡＴピンポン・ハンドオーバ情報要素を有するハンドオーバ・レポートを含む無線情報管理（ＲＩＭ）要求転送メッセージを第１のセルに送信する。ＲＮＣは、ＵＥ接続のＩＲＡＴハンドオーバ・ピンポンが発生したかどうかとは無関係にＲＩＭメッセージを送信することができる。また、ＲＮＣは、第２のセルへのＵＥ接続の将来のハンドオーバを回避するために、第１のセルに対応している基地局にハンドオーバ・レポートを送信して、その基地局が第２のセル及び／又はターゲットＲＡＴネットワークに関連するモビリティ又はハンドオーバ設定を調整できるようにすることもできる。ハンドオーバ・レポートは、ＩＲＡＴピンポン・ハンドオーバ・インジケータを含むＨＯレポート・タイプ情報要素（ＩＥ）又はＨＯタイプＩＥを含むことができる。
【００１７】
[0017]  他の実施形態の例では、制御ノードは、ＵＥ測定及びレポート・トリガを構成するために使用される、第３のセル及び／又はソースＲＡＴネットワークに関連するハンドオーバ又はモビリティ・パラメータを調整する。
【００１８】
[0018]  他の実施形態の例では、ＩＲＡＴピンポン・ハンドオーバ指示は、第３のセルに対応している基地局から、第１のセルに対応している基地局に送信される。
【００１９】
[0019]  ＩＲＡＴピンポン・ハンドオーバがソースＲＡＴネットワーク内の異なる基地局を伴ういくつかの実施形態の例では、制御ノードは、第２のセルへのＵＥ接続の将来のハンドオーバを回避するために、ソースＲＡＴネットワーク内のハンドオーバ・ソース基地局へのその後の配信のためにＩＲＡＴピンポン・ハンドオーバ条件の指示をソースＲＡＴネットワーク内のハンドオーバ・ターゲット基地局に提供して、ハンドオーバ・ソース基地局が第２のセル及び／又はターゲットＲＡＴネットワークに関連するモビリティ又はハンドオーバ設定を調整できるようにする。
【００２０】
[0020]  １つの実現例では、ソースＲＡＴネットワークがＬＴＥネットワークであり、ターゲットＲＡＴ通信ネットワークがＵＴＲＡＮネットワークであり、制御ノードが無線ネットワーク・コントローラ（ＲＮＣ）である。ＲＮＣは、ターゲットからソースへの透明コンテナ（target to source transparent container）情報要素（ＩＥ）内のＩＲＡＴピンポン・ハンドオーバ指示を含むリロケーション要求確認／ハンドオーバ・メッセージを第３のセルに送信して、第３のセルがＩＲＡＴピンポン・ハンドオーバ指示を第１のセルに提供できるようにする。
【００２１】
[0021]  ソースＲＡＴネットワークがＬＴＥネットワークであり、ターゲットＲＡＴ通信ネットワークがＵＴＲＡＮネットワークであり、制御ノードが無線ネットワーク・コントローラ（ＲＮＣ）である他の実現例では、ＲＮＣは、ソースからターゲットへの透明コンテナ（source to target transparent container）内のＩＲＡＴピンポン・トリガ情報要素（ＩＥ）及びＩＲＡＴピンポン・タイマＩＥを含むハンドオーバ必要／リロケーション要求メッセージを、第１のセルに対応している基地局から受信する。
【００２２】
[0022]  いくつかの実施形態の例では、制御ノードはＩＲＡＴピンポン・タイマを含む。制御ノードは、ＵＥ接続がソースＲＡＴネットワーク内の第１のセルからターゲットＲＡＴネットワーク内の第２のセルにハンドオーバされると判断し、ＩＲＡＴピンポン・タイマが切れる前にＵＥ接続のハンドオーバがソースＲＡＴネットワークに対して発生し、ＵＥ接続に関するサービスエリアがソースＲＡＴネットワークから使用可能である場合にＩＲＡＴピンポン発生を決定する。ソースＲＡＴネットワークがＬＴＥネットワークであり、ターゲットＲＡＴ通信ネットワークがＵＴＲＡＮネットワークであり、制御ノードが無線ネットワーク・コントローラ（ＲＮＣ）である１つの実現例では、ＲＮＣは、ターゲットからソースへの透明コンテナを介して第３のセルにＩＲＡＴピンポン指示を送信して、第３のセルに対応している基地局がＩＲＡＴピンポン指示メッセージを第１のセルに送信できるようにする。１つの代替実現例では、ＲＮＣは、リロケーション要求確認メッセージをコア・ネットワーク（ＣＮ）ノードに送信し、無線情報管理（ＲＩＭ）要求転送メッセージを介してＩＲＡＴピンポン指示を第１のセルに送信する。
【００２３】
[0023]  いくつかの実施形態の例では、制御ノードは、運用及び整備ノード（operations and maintenance node）からＩＲＡＴピンポン・ハンドオーバ検出時間ウィンドウを受信する。
【００２４】
[0024]  他の実施形態の例は、ソース無線アクセス技術（ＲＡＴ）通信ネットワークと異なるターゲットＲＡＴ通信ネットワークとの間のユーザ装置（ＵＥ）接続について起こり得る無線アクセス技術間（ＩＲＡＴ）ピンポン・ハンドオーバを検出するための方法及び装置を提供する。ソースＲＡＴネットワーク内の第１のセルに関連する基地局は、ターゲットＲＡＴ通信ネットワークに関連する制御ノードにハンドオーバ又はセル・リロケーション要求メッセージを送信し、ＵＥ接続がハンドオーバ・ピンポン情報に関連する１つ又は複数のピンポン条件を満たす場合に、ＩＲＡＴピンポン・ハンドオーバ条件の指示を受信し、第２のセルへのＵＥ接続の将来のハンドオーバを回避するために、第２のセル及び／又はターゲットＲＡＴネットワークに関するモビリティ・パラメータを調整する。
【００２５】
[0025]  ソースＲＡＴネットワークがＬＴＥネットワークであり、ターゲットＲＡＴ通信ネットワークがＵＴＲＡＮネットワークであり、制御ノードが無線ネットワーク・コントローラ（ＲＮＣ）である１つの実現例では、ハンドオーバ又はセル・リロケーション要求メッセージはＩＲＡＴ測定構成情報及びＵＥハンドオーバ測定期間情報を含む。基地局は、ＩＲＡＴピンポン・ハンドオーバ情報要素を有するハンドオーバ・レポートを含む無線情報管理（ＲＩＭ）要求転送メッセージを受信する。ハンドオーバ又はセル・リロケーション要求メッセージはＩＲＡＴハンドオーバ期間情報を含むことができる。基地局は、第３のセルに対応している基地局からＩＲＡＴピンポン・ハンドオーバ指示を受信することができる。第１及び第３のセルは、同じセル又は異なるセルにすることができる。
【００２６】
[0026]  基地局は、観察期間についてＩＲＡＴピンポン・ハンドオーバに関する統計情報を決定し、決定された統計情報を運用及び整備ノードに送信することができる。
【００２７】
[0027]  更に他の実施形態の例では、運用及び整備ノードは、ソース無線アクセス技術（ＲＡＴ）通信ネットワーク及び異なるターゲットＲＡＴ通信ネットワークと通信するように構成される。運用及び整備ノードは、
観察期間中にＩＲＡＴハンドオーバ・ピンポン・イベントに関する１つ又は複数の制御ノードによって決定された統計情報を受信することと、
受信した統計情報に基づいてＩＲＡＴハンドオーバ・ピンポン検出時間ウィンドウを決定することと、
ネットワーク制御ノードがユーザ装置（ＵＥ）接続に関するＩＲＡＴハンドオーバ・ピンポン状況を検出し、ＵＥ接続の更なるＩＲＡＴピンポン・ハンドオーバを回避するためのアクションを行えるようにするために、決定されたＩＲＡＴハンドオーバ・ピンポン検出時間ウィンドウを提供することと、
ＩＲＡＴピンポン・ハンドオーバにおいて、ＵＥ接続がソースＲＡＴネットワーク内の第１のセルからターゲットＲＡＴネットワーク内の第２のセルにハンドオーバされ、次に所定の限られた時間内にソースＲＡＴネットワーク内の第３のセルにハンドオーバで戻されることと、
を実行するように構成されたデータ処理回路を含む。
【図面の簡単な説明】
【００２８】
【図１】[0028]ＵＴＲＡＮ／ＬＴＥ複合アーキテクチャを機能ブロック形式で示している。
【図２】[0029]あるコア・ネットワーク・ノードから他のコア・ネットワーク・ノードにＵＥに関する履歴ログを転送する一例を示す機能ブロック図である。
【図３】[0030]３ＧＰＰベースの不必要なハンドオーバ検出手順に関する信号図の一例を示している。
【図４】[0031]３ＧＰＰベースのＩＲＡＴ測定構成情報要素（ＩＥ）の構成の一例を示している。
【図５】[0032]３ＧＰＰベースのＨＯレポートＩＥメッセージの構成の一例を示している。
【図６】[0033]ＬＴＥネットワークからＵＴＲＡＮネットワークへ更にＬＴＥネットワークに戻るＵＥ接続のピンポン・ハンドオーバの一例を示している。
【図７Ａ】[0034]ＵＥ接続について起こり得るＩＲＡＴピンポン・ハンドオーバを検出する際に使用するための手順の非限定的な例を示すフローチャートである。
【図７Ｂ】[0034]ＵＥ接続について起こり得るＩＲＡＴピンポン・ハンドオーバを検出する際に使用するための手順の非限定的な例を示すフローチャートである。
【図８】[0035]第１の実施形態の非限定的な例による３ＧＰＰベースのＨＯレポートＩＥメッセージの構成の一例を示している。
【図９】[0036]第１の実施形態の非限定的な例によるＩＲＡＴピンポン検出のためのメッセージ・シーケンスの一例を示している。
【図１０】[0037]第２の実施形態の非限定的な例によるＩＲＡＴピンポン検出のためのメッセージ・シーケンスの一例を示している。
【図１１】[0038]１つの実施形態の非限定的な例による、ＵＥ、ソース基地局、ターゲット基地局、ＲＮＣ、及びコア・ネットワーク・ノードの機能ブロック図を示している。
【発明を実施するための形態】
【００２９】
[0039]  以下の説明では、限定ではなく説明のために、特定の実施形態などの具体的な詳細が明記されている。しかし、これらの具体的な詳細とは別にその他の実施形態も使用可能であることは当業者によって認識されるであろう。いくつかの事例では、不必要な詳細で説明を曖昧にしないために、周知の方法、ノード、インターフェース、回路、及び装置の詳細な説明が省略される。当業者であれば、ハードウェア回路（例えば、専門機能を実行するために相互接続されたアナログ及び／又はディスクリート論理ゲート、ＡＳＩＣ、ＰＬＡなど）を使用するか及び／又は１つ又は複数のデジタル・マイクロプロセッサ或いは汎用コンピュータとともにソフトウェア・プログラム及びデータを使用して、記載されている諸機能が１つ又は複数のノードで実現可能であることを認識するであろう。エア・インターフェースを使用して通信するノードは、適切な無線通信回路も有する。その上、この技術は、本明細書に記載されている技法をプロセッサに実行させることになる適切な１組のコンピュータ命令を収容するソリッドステート・メモリ、磁気ディスク、又は光ディスクなどの任意の形式のコンピュータ可読メモリ内で完全に実施されるものと更に見なすことができる。
【００３０】
[0040]  ハードウェア実現例は、無制限に、デジタル信号プロセッサ（ＤＳＰ）ハードウェア、縮小命令セットプロセッサ、特定用途向け集積回路（複数も可）（ＡＳＩＣ）及び／又はフィールド・プログラマブル・ゲート・アレイ（複数も可）（ＦＰＧＡ）を含むがこれらに限定されないハードウェア（例えば、デジタル又はアナログ）回路、及び（適切であれば）このような機能を実行できる状態機械を含むか又は包含することができる。
【００３１】
[0041]  コンピュータ実現例に関して、コンピュータは一般に、１つ又は複数のプロセッサ或いは１つ又は複数のコントローラを含むものと理解され、コンピュータ、プロセッサ、及びコントローラという用語は交換して使用することができる。コンピュータ、プロセッサ、又はコントローラによって提供される場合、その機能は、単一の専用コンピュータ又はプロセッサ又はコントローラによって、単一の共用コンピュータ又はプロセッサ又はコントローラによって、或いはその一部を共用又は分散することができる複数の個別コンピュータ又はプロセッサ又はコントローラによって提供することができる。その上、「プロセッサ」又は「コントローラ」という用語は、上記で列挙されたハードウェアの例など、このような機能を果たすか及び／又はソフトウェアを実行することができるその他のハードウェアも指す。
【００３２】
[0042]  １つのセルは１つの基地局に関連付けられ、基地局は、一般的な意味で、ダウンリンク（ＤＬ）で無線信号を送信するか及び／又はアップリンク（ＵＬ）で無線信号を受信する任意のノードを含む。基地局の例は、ＮｏｄｅＢ、ｅＮｏｄｅＢ、ｅＮＢ、マクロ／マイクロ／ピコ無線基地局、家庭用ｅＮｏｄｅＢ、リレー、レピータ、センサ、送信専用無線ノード、又は受信専用無線ノードである。基地局は、１つ又は複数の周波数、搬送周波数、又は周波数帯域で動作するか又は少なくとも測定を実行することができ、搬送波集約を行うことができる。背景技術に記載されている問題は、ＬＴＥ、ＵＴＲＡＮ、及びＧＥＲＡＮ無線アクセス技術（ＲＡＴ）に限定されないことは言うまでもない。実際には、この問題は、ＵＥのハンドオーバが許可されているどのＲＡＴ間でも発生する可能性がある。従って、以下の説明は、ＬＴＥ、ＵＴＲＡＮ、及びＧＥＲＡＮ無線アクセス技術（ＲＡＴ）に関連するものであるが、これらは例に過ぎず、この技術はその他のＲＡＴ及びＲＡＴ間ハンドオーバ・シナリオに適用することができる。
【００３３】
[0043]  この説明はユーザ装置（ＵＥ）に関して示されているが、当業者であれば、「ＵＥ」は、ＵＬで信号を送信することと、ＤＬで信号を受信及び／又は測定することのうちの少なくとも１つについて可能にする無線インターフェースを装備した任意の無線装置又はノードを含む非限定的な用語であることを理解されたい。ＵＥのいくつかの例は、その一般的な意味では、ＰＤＡ、ラップトップ、移動無線局、センサ、固定リレー、移動リレー、及び無線ネットワーク・ノード（例えば、ＬＭＵ又はフェムト基地局又は端末技術を使用する小型基地局）である。本明細書のＵＥは、１つ又は複数の周波数、搬送周波数、成分搬送波、又は周波数帯域で動作するか又は少なくとも測定を実行することができるＵＥ（その一般的な意味で）を含むことができる。ここで、ＵＥは、異なるＲＡＴを使用して動作することができる。
【００３４】
[0044]  この技術は、異なる無線アクセス技術間のＵＥ接続の反復ハンドオーバ（ハンドオーバ・ピンポン）を検出するための方法及び装置を提供する。第１のタイプのＲＡＴに関連する制御ノード、例えば、ＵＴＲＡＮネットワーク内のＲＮＣは、ハンドオーバ・ピンポン構成或いは１つ又は複数のハンドオーバ・ピンポン基準などのハンドオーバ・ピンポン情報を受信するか又はその他の方法で決定する。その制御ノードは、ハンドオーバ・ピンポン情報に関して、第２の異なるタイプのＲＡＴを有する第２の異なるネットワーク、例えば、ＬＴＥネットワーク内のｅＮＢからの着信ＵＥ接続ハンドオーバを評価して、そのＵＥ接続がハンドオーバ・ピンポン情報に関連する１つ又は複数のピンポン条件を満たすかどうかを判断する。そうである場合、制御ノードは、ハンドオーバ・ピンポン条件の指示を第２のネットワーク内の基地局、例えば、ＬＴＥネットワーク内のｅＮＢに提供する。
【００３５】
[0045]  このピンポンが第２のネットワーク内の異なる基地局を伴う実施形態の一例では、制御ノードは、ハンドオーバ・ピンポン条件の指示を第２のネットワーク内のハンドオーバ・ソース基地局に提供する。
【００３６】
[0046]  このピンポンが第２のネットワーク内の異なる基地局を伴う実施形態の他の例では、制御ノードは、ハンドオーバ・ピンポン条件の指示を第２のネットワーク内のハンドオーバ・ターゲット基地局に提供し、この基地局は次にハンドオーバ・ピンポン条件のこの指示を第２のネットワーク内のハンドオーバ・ソース基地局にリレーする。
【００３７】
[0047]  図７Ａ及び図７Ｂは、ＵＥ接続について起こり得るＩＲＡＴピンポン・ハンドオーバを検出する際に使用するための手順の非限定的な例を示すフローチャートである。図７Ａは、ソース無線アクセス技術（ＲＡＴ）通信ネットワークと異なるターゲットＲＡＴ通信ネットワークとの間のユーザ装置（ＵＥ）接続について起こり得る無線アクセス技術間（ＩＲＡＴ）ピンポン・ハンドオーバを検出するためにネットワーク制御ノードで実行されるステップの例を示している。上記で説明したように、ＩＲＡＴピンポン・ハンドオーバでは、ＵＥ接続がターゲットＲＡＴによって対応されている時間中にソースＲＡＴによって対応できる場合でも、ＵＥ接続は、ソースＲＡＴネットワーク内の第１のセルからターゲットＲＡＴネットワーク内の第２のセルにハンドオーバされ、次に所定の限られた時間内にソースＲＡＴネットワーク内の第３のセルにハンドオーバで戻される。ターゲットＲＡＴネットワークに関連するネットワーク制御ノードは、ＩＲＡＴピンポン・ハンドオーバ情報を決定し（ステップＳ１）、そのハンドオーバ・ピンポン情報に関してソースＲＡＴネットワークからのＵＥ接続に関するＩＲＡＴハンドオーバ要求メッセージを評価する（ステップＳ２）。この評価は、ＵＥ接続がターゲットＲＡＴによって対応されている時間中にソースＲＡＴによって対応できると判断するためにＵＥ測定を受信することを含むことができる。この評価に基づいて、制御ノードは、ＵＥ接続がハンドオーバ・ピンポン情報に関連する１つ又は複数のピンポン条件を満たすと判断し（ステップＳ３）、ＩＲＡＴピンポン・ハンドオーバ情報の指示をソースＲＡＴネットワーク内の基地局に提供する（ステップＳ４）。
【００３８】
[0048]  図７Ｂは、ＵＥ接続について起こり得るＩＲＡＴピンポン・ハンドオーバを検出するためにソース基地局で実行されるステップの例を示している。最初に、ソース基地局は、特定の持続時間に関するＩＲＡＴ  ＵＥ測定を構成することを目指す測定構成情報要素（ＩＥ）を含むことができるハンドオーバ又はセル・リロケーション要求メッセージを、ターゲットＲＡＴ通信ネットワークに関連する制御ノードに送信する（ステップＳ１０）。１つのオプションは、ソース基地局が運用及び整備ノード（ＯａＭ）から測定構成ＩＥの構成に関する情報を受信したことである。ＵＥ接続がハンドオーバ・ピンポン情報に関連する１つ又は複数のピンポン条件を満たす場合、基地局は、その後、ＩＲＡＴピンポン・ハンドオーバ条件の指示を受信する（ステップＳ１２）。次に、基地局は、第２のセルへのＵＥ接続の将来のピンポン及び不必要なハンドオーバを回避するために、第２のセル又はターゲットＲＡＴネットワークに関するモビリティ・パラメータを調整することができる（ステップＳ１４）。
【００３９】
[0049]  ＵＥ接続に関するハンドオーバ・ピンポンの非限定的な例は、ＬＴＥからＵＴＲＡＮ／ＧＥＲＡＮへ更に元に戻るものである。しかし、この場合も、この技術は異なるソース又はターゲットＲＡＴを伴う他のシナリオに使用することができる。この技術は、ＲＡＴ間（ＩＲＡＴ）の不必要なハンドオーバ機能（又は同様の機能）を使用して、ＬＴＥ→ＵＴＲＡＮ／ＧＥＲＡＮ→ＬＴＥのピンポン・ハンドオーバ・シナリオの発生についてフラグを立てるか又はその他の方法で示すことができる。このシナリオの例では、ＵＥ接続がＬＴＥからＵＴＲＡＮ／ＧＥＲＡＮにハンドオーバされ、ＩＲＡＴハンドオーバの検出のために測定構成がＵＴＲＡＮ／ＧＥＲＡＮネットワークに送信されると、２つのケースが発生する可能性がある。第一に、構成された測定持続時間ウィンドウ中にＵＴＲＡＮ／ＧＥＲＡＮネットワークによって収集されるＵＥ測定は所定の不必要なハンドオーバ条件を満足する可能性がある。この第１のケースでは、同じＵＴＲＡＮ／ＧＥＲＡＮセルへの将来のハンドオーバを回避できるように、ＨＯレポートＩＥ（以下に記載する図７を参照）を含む無線情報管理（ＲＩＭ）メッセージがＬＴＥネットワークに返送される。ＲＩＭメッセージは、好ましくは、ＵＥ接続がＵＴＲＡＮ／ＧＥＲＡＮにハンドオーバで戻るかどうかとは無関係に、例えば、ＩＲＡＴハンドオーバ・ピンポンが発生したかどうかとは無関係に送信される。第２のケースでは、ＵＴＲＡＮ／ＧＥＲＡＮ内に測定を収集している間であってしかも測定持続時間ウィンドウが切れる前に、ＵＥ接続はＬＴＥネットワークにハンドオーバで戻される。ＬＴＥに戻るハンドオーバが十分短い時間内に行われる場合、このイベントはＩＲＡＴピンポンを構成する。現在までＬＴＥネットワークに送信すべきＨＯリポートＩＥについてはいかなる備えもなく、これはＵＴＲＡＮ／ＧＥＲＡＮ  ＲＮＳによって収集された測定が失われることを意味するが、本出願の技術により、上記のこの第２のケースでも、ＬＴＥネットワークに戻るＨＯレポートＩＥの配信が可能になる。具体的には、ＵＥ接続がＵＴＲＡＮ／ＧＥＲＡＮで処理されている間に検出されたＬＴＥセルが報告され、測定持続時間ウィンドウが切れる前にＵＥがハンドオーバでＬＴＥに戻るケースでは、ＨＯターゲットＩＤ  ＩＥも報告される。このケースで送信されるＨＯレポートＩＥは、ＩＲＡＴピンポンの発生を示すための新しいＩＥによって機能強化することができる。代わって、専用のハンドオーバ・ピンポン指示は、ターゲットＲＡＴがハンドオーバ・ピンポン・イベントを識別した後にＵＴＲＡＮ／ＧＥＲＡＮからＬＴＥに送信することができる。更に、ＵＥ接続がハンドオーバでＬＴＥに戻されると、ハンドオーバ・ピンポン指示は、専用のＸ２メッセージを介してターゲットＬＴＥ  ｅＮＢからソースＬＴＥ  ｅＮＢに送信することができる。
【００４０】
[0050]  ハンドオーバ・ピンポン検出のトリガは、直ちに又はある期間にわたって実行することができる。また、トリガは、統計的に、即ち、事前設定した数のハンドオーバ・ピンポン・インスタンスが発生した場合或いは事前設定した数のインスタンスが事前設定した時間ウィンドウで発生した場合に実行することもできる。
【００４１】
[0051]  測定期間がＬＴＥへのハンドオーバによって中断された場合でもＨＯレポートＩＥが送信されることを識別する方法の一例として、即ち、このケースと、不必要なＩＲＡＴハンドオーバ検出のその他のケースとを区別するために、図８に示されているようにＨＯレポート・タイプＩＥ又はＨＯタイプＩＥに関する新しい値を取り入れることができる。例えば、新しい値は「早期ＩＲＡＴハンドオーバ」と命名することができる。以下の表は、ＨＯレポート・タイプＩＥに関する新しい値が含まれるＨＯレポートＩＥを示している。この新しい値は、ＨＯタイプＩＥにも含めることができる（この例には示されていない）。
【００４２】
[0052]  ＨＯレポート・タイプＩＥ又はＨＯタイプＩＥに新しい値を追加することにより、ＨＯレポートＩＥを受信するＬＴＥ  ｅＮＢは、そのレポートがＩＲＡＴ測定構成ＩＥに構成された測定持続時間全体をカバーする測定について言及していないが、その代わりに、ＬＴＥに向かう新しいＲＡＴ間ハンドオーバが測定持続時間に対応する測定間隔内で発生し、ハンドオーバ発生までの測定がＩＲＡＴ測定構成ＩＥに設定されたしきい値を達成しているケースについてそのレポートが言及していると判断することができる。
【００４３】
[0053]  ハンドオーバ・ピンポン・イベントは、少なくとも２つのＩＲＡＴハンドオーバ、例えば、ＬＴＥと、同じＵＴＲＡＮ／ＧＥＲＡＮ無線ネットワーク・サブシステム（ＲＮＳ）との間で定義済み時間ウィンドウで発生するものを含む。以下の例で言及されるハンドオーバ・ピンポン検出時間ウィンドウはＴＩＲＡＴＰｉｎｇＰｏｎｇと呼ばれる。図６に関して説明すると、ウィンドウ・タイマＴＩＲＡＴＰｉｎｇＰｏｎｇは、ＵＥハンドオーバがＵＴＲＡＮ／ＧＥＲＡＮに向かってトリガされた時にＬＴＥ内のソース基地局ｅＮＢ１で開始されるか、或いはＵＥハンドオーバがＬＴＥから完了した時にＵＴＲＡＮ／ＧＥＲＡＮ内のＲＮＣ２で開始される。この時点で、第１の実施形態の例では、不必要なＩＲＡＴハンドオーバに関する測定が構成されると想定する。
【００４４】
[0054]  図６をシナリオの一例とすると、ＵＥ接続がＬＴＥのセル１からＵＴＲＡＮのセル２にハンドオーバされ、次に、ＩＲＡＴ測定構成ＩＥに構成された測定持続時間タイマ・ウィンドウが切れる前であってしかもＴＩＲＡＴＰｉｎｇＰｏｎｇタイマ・ウィンドウが切れる前にＬＴＥのセル３にハンドオーバされた場合、ＨＯレポートはＲＮＣ２からｅＮＢ１に送信される。
【００４５】
[0055]  以下の図９は、第１の実施形態の非限定的な例について図６に記載されている非限定的な例のノード間の詳細なメッセージ交換の非限定的な一例を示している。図９では、ＬＴＥ  ｅＮＢ１はＵＴＲＡＮ／ＧＥＲＡＮのセル２にＵＥ接続をハンドオーバすると決定する。ＬＴＥ  ｅＮＢ１は任意選択でハンドオーバ・ピンポン検出時間ウィンドウＴＩＲＡＴＰｉｎｇＰｏｎｇを開始すると決定することができる。ステップ１に示されているＵＴＲＡＮ／ＧＥＲＡＮ  ＲＮＣ２に向かうハンドオーバ信号はＩＲＡＴ測定構成ＩＥを含む。リロケーション要求メッセージ（ハンドオーバ信号の一部として）が受信されると、ＲＮＣ２は任意選択でＴＩＲＡＴＰｉｎｇＰｏｎｇを開始すると決定することができる。
【００４６】
[0056]  タイマＴＩＲＡＴＰｉｎｇＰｏｎｇを構成して開始し、ＩＲＡＴ測定をトリガして評価するという決定、即ち、ＩＲＡＴピンポン・ハンドオーバを検出するという決定は（ＩＲＡＴピンポン・ハンドオーバ検出がターゲットＲＡＴで実行されるか又はソースＲＡＴで実行されるかとは無関係に）、所与の期間中にすべてのＩＲＡＴハンドオーバ・インスタンスで行うことができるか、或いはその決定は、ソースＲＡＴ内で測定されたターゲットＲＡＴへのハンドオーバ後に事前構成済みの時間内にソースＲＡＴに戻されるＵＥ接続の事前構成済みの割合に基づくものにすることができる。このため、ＴＩＲＡＴＰｉｎｇＰｏｎｇタイマがトリガされ、ＩＲＡＴピンポン検出が起動されるまで、ＵＥ接続が特定の期間内にソースＲＡＴに戻されることのみが把握されるが、ソースＲＡＴに戻るハンドオーバがサービスエリアの穴によるのか又はピンポン・ハンドオーバによるのかを把握することは不可能である。
【００４７】
[0057]  リロケーション要求メッセージでターゲットＲＡＴノード（例えば、ＲＮＣ２）によって受信されるソースからターゲットへの透明コンテナは、ＴＩＲＡＴＰｉｎｇＰｏｎｇパラメータも含むことができる。このようにすることにより、ハンドオーバ・ピンポン・イベントがトリガされる時期を評価する際にソースＲＡＴ（例えば、ＬＴＥ）及びターゲットＲＡＴ（例えば、ＵＴＲＡＮ／ＧＥＲＡＮ）が調整されることが保証される。
【００４８】
[0058]  また、ＲＮＣ２は、ＩＲＡＴ測定構成ＩＥを使用して測定を実行するようにＵＥを構成する。ＬＴＥ  ｅＮＢ１からのハンドオーバ信号により、ＵＴＲＡＮ／ＧＥＲＡＮ  ＲＮＣ２は、そのＵＥがＬＴＥ  ＲＡＴから来ることを理解することができる。
【００４９】
[0059]  ＵＥ接続がセル２によって処理される時間の間、ＴＩＲＡＴＰｉｎｇＰｏｎｇが切れる前にＬＴＥへのそのＵＥ接続のハンドオーバがＵＴＲＡＮ／ＧＥＲＡＮ  ＲＮＣ２によって対応されるセルのいずれかから行われる場合、次に、ＵＥによって収集された測定が測定構成ＩＥに指定された構成済みＩＲＡＴピンポンしきい値（複数も可）を達成する場合、ＲＮＣ２は、セル２からセル３へのハンドオーバが実行されるまで又は測定持続時間タイマが切れるまで収集された情報を有するＨＯレポートを含む、ＬＴＥ  ｅＮＢ１へのＲＩＭ転送を生成する。
【００５０】
[0060]  実施形態の一例では、ＵＴＲＡＮ内のＵＥは、ＩＲＡＴ測定構成ＩＥがソースからターゲットへの透明コンテナＩＥ内に存在しない場合でも、ＬＴＥセルについてＩＲＡＴ測定を行うように構成することができる。この場合、ターゲットＲＡＴ（ＲＮＣ２）は、ＵＥを構成し、測定結果をＲＩＭ要求転送メッセージ内のＨＯレポートＩＥに含め、そこで測定持続時間及びしきい値はターゲットＲＡＴ（ＲＮＣ２）によって構成することができる。ＵＥ測定がＩＲＡＴピンポン構成済みしきい値を達成する場合、ＨＯレポートＩＥはＲＩＭ要求メッセージを介してソースＲＡＴ（ｅＮＢ１）に返送することができる。
【００５１】
[0061]  このようなＨＯレポートの受信を解釈するための方法の一例はＬＴＥ−ＵＴＲＡＮ−ＬＴＥタイプのＩＲＡＴピンポン・イベントを示すためにＨＯレポート（いずれの新しいＩＥも含まない）が送信されたとＬＴＥ  ｅＮＢ１が推論することである。測定持続時間が切れる前に及び／又はＴＩＲＡＴＰｉｎｇＰｏｎｇが切れる前にｅＮＢ１がＨＯレポートを受信するので、これは可能なことである。他の手法の例の場合、ＨＯレポートは、ＬＴＥ−ＵＴＲＡＮ−ＬＴＥタイプのＩＲＡＴピンポンの発生について明示的にフラグを立てるか又はそれを示す新しい情報要素（ＩＥ）を含むことができる。この新しいＩＥは一例として「ＩＲＡＴピンポン」と命名することができ、これはブール変数にすることができる。
【００５２】
[0062]  ＨＯレポートに含まれる情報を分析するＬＴＥ  ｅＮＢ１に対してＩＲＡＴピンポン・イベントのフラグが立てられると、ＬＴＥ  ｅＮＢ１は、ピンポンが発生したターゲット・セル、即ち、この例ではＵＴＲＡＮのセル２を推論することができる。従って、ＬＴＥ  ｅＮＢ１は、将来のＩＲＡＴピンポン発生を回避するために、そのターゲット・セルに向かうそのモビリティ・パラメータ設定（複数も可）を調整することができる。モビリティ・パラメータは、ＵＥ測定及びレポート・トリガを構成するために使用されるパラメータを含むことができる。ＩＲＡＴピンポン・ハンドオーバが検出されると、ターゲットＲＡＴ（ＲＮＣ２）は、このようなＩＲＡＴピンポン・ハンドオーバのトリガを回避するために、ＬＴＥターゲット・セルに向かうモビリティ・パラメータに対して訂正を適用することもできる。
【００５３】
[0063]  ＩＲＡＴピンポン・ハンドオーバを引き起こすモビリティ・パラメータを調整するために、ソースＬＴＥ  ｅＮＢ１は、そこからそのＩＲＡＴハンドオーバの理由を判断することができる無線リソース制御（ＲＲＣ）ＵＥコンテキストを記憶することができる。そのハンドオーバが、例えば、サービスエリアによるものではなかった場合、この例ではサービスエリアに関するハンドオーバからピンポンに関する情報を分離することができる。非サービスエリアの例は、無線アクセス技術間のロード・バランシングによるハンドオーバである。従って、この情報を処理する方法の一例は、ハンドオーバの理由がそのＵＥ接続に関するサービスエリアである場合ではなく、ロード・バランシングを評価する時にＩＲＡＴハンドオーバ・ピンポン情報を考慮することである。
【００５４】
[0064]  もう１つの例は、ＵＥが高速で移動しているので、信号の頑強性を改善するために、ＵＥがＬＴＥからより低い周波数のターゲットＲＡＴ（例えば、ＵＴＲＡＮ）に移動する場合である。ターゲットＲＡＴでは、ＵＥ速度の変化のために又はハンドオーバ・パラメータの構成におけるエラーのために、ＵＥがハンドオーバでＬＴＥに戻る可能性がある。ＵＥコンテキストを検索することにより、ソースｅＮＢ（例えば、ｅＮＢ１）は、何がハンドオーバの原因であったかを判断することができ、適切に反応することができ、例えば、ソースｅＮＢは、高速ＵＥをより低い周波数のＲＡＴにハンドオーバする時に、ヒステリシス・パラメータを調整することができる。また、ターゲットＲＡＴ（例えば、ＵＴＲＡＮ  ＲＮＣ２）は、ソースＲＡＴに戻るハンドオーバを回避するための対策を適用することができる。これを行うための方法の一例は、ＬＴＥからのハンドオーバが発生した直後に発生するＬＴＥへのＵＥハンドオーバに関するモビリティ・パラメータを調整するだけである。
【００５５】
[0065]  その上、運用及び整備（ＯａＭ）システムは、例えば、妥当な測定に必要な時間、ＬＴＥソース側のＵＥコンテキスト忍耐時間（perseverance time）、転送ネットワーク内の喪失パケットのコストなどの１つ又は複数の所定の要因に基づいて、ＴＩＲＡＴＰｉｎｇＰｏｎｇを構成することができる。また、このような構成は、事業者によって実行し調整するか、或いは演繹的に定義することもできる。更に、ｅＮＢ及び／又はＲＮＣは、ピンポン・イベント及び非ピンポン・インベントに関する統計を記憶することができ、望ましい場合、それらを１つ又は複数のレポートに集約し、そのレポート（複数も可）をＯａＭシステムに提供することができる。この集約は、例えば、カウンタ及びヒストグラムを使用して実現することができる。
【００５６】
[0066]  図１０に示されている第２の実施形態の非限定的な例では、ソースＲＡＴ（例えば、ＬＴＥ  ｅＮＢ１）は、ＩＲＡＴピンポン・イベントを検出するためにＩＲＡＴの不必要なハンドオーバ検出を当てにしない。その代わりに、ソースＲＡＴは、Ｓ１、即ち、ハンドオーバ必要を介して送信されるソースからターゲットへの透明コンテナ内に１つ又は複数の新しいＩＥを含む。このような１つ又は複数の新しいＩＥは、ピンポン検出トリガ及び／又はＩＲＡＴピンポン・タイマを含むことができる（ステップ１）。これらのＩＥの構成は、ＯａＭノードから入手されている可能性がある。ターゲットＲＡＴノード（例えば、ＲＮＣ２）はソースＲＡＴ内のセルに関する測定でＵＥを構成すると決定する場合もあれば、ハンドオーバ発生に基づいて、即ち、ＵＥがＴＩＲＡＴＰｉｎｇＰｏｎｇタイマ内にハンドオーバでソースＲＡＴに戻るかどうかに基づいて、ピンポン評価を行う場合もある。
【００５７】
[0067]  第１のハンドオーバがＬＴＥからのものであったことを把握することにより、ＲＮＣ２は、ＴＩＲＡＴＰｉｎｇＰｏｎｇが切れる前にＬＴＥに向かうハンドオーバがＲＮＣ２によって対応されているＵＴＲＡＮ／ＧＥＲＡＮセルのうちのいずれかから発生した場合にＩＲＡＴピンポンを検出することができる。この場合、２つのオプションについて以下に説明する。第一に、ピンポン・イベント発生時又は（おそらく事前設定時間ウィンドウ内に）いくつかのピンポン・イベントが検出された後のいずれかに、ＲＮＣ２はステップ２でターゲットからソースへの透明コンテナを介してＩＲＡＴピンポン指示をＬＴＥ  ｅＮＢ３に送信する。ＩＲＡＴピンポンを示すために新しいＸ２メッセージを含むメッセージ３ａがこれに続く。第２のオプションとして、ピンポン・イベント発生時又は（おそらく事前設定時間ウィンドウ内に）いくつかのピンポン・イベントが検出された後のいずれかに、ＲＮＣ２はリロケーション要求確認をコア・ネットワーク（ＣＮ）に送信する。更に、ＲＮＣ２は、メッセージ３ｂに示されているように、専用ＲＩＭ要求転送メッセージを介してＩＲＡＴピンポン指示をＬＴＥ  ｅＮＢ１に送信する。
【００５８】
[0068]  ＩＲＡＴピンポンの将来の発生を回避するためにｅＮＢ１、ＲＮＣ２、及びｅＮＢ３によって行うことができるアクション及び信号の例は、第１の実施形態の例に記載されているものと同様である。
【００５９】
[0069]  第３の実施形態の非限定的な例では、ソースＲＡＴ（例えば、ｅＮＢ１）は、ハンドオーバ必要／リロケーション要求メッセージにソースからターゲットへの透明コンテナＩＥ内の新しいか又は特定のＩＥを含まない。その代わりに、ターゲットＲＡＴ（例えば、ＲＮＣ２）は自律的に事前構成済みのＴＩＲＡＴＰｉｎｇＰｏｎｇタイマをトリガすると決定する。ターゲットＲＡＴ（例えば、ＲＮＣ２）は、ＯａＭノードからＴＩＲＡＴＰｉｎｇＰｏｎｇタイマを受信することができる。第１のハンドオーバがＬＴＥからのものであったことを把握することにより、ＲＮＣ２は、ＴＩＲＡＴＰｉｎｇＰｏｎｇが切れる前にＬＴＥに向かうハンドオーバがそれによって対応されているセルのうちのいずれかから発生した場合に、ＩＲＡＴピンポンを検出することができる。ターゲットＲＡＴ（ＲＮＣ２）は、ソースＲＡＴ（ＬＴＥ）に関する測定でＵＥを構成すると決定する場合もあれば、ハンドオーバ発生に基づいて、即ち、ＵＥがＴＩＲＡＴＰｉｎｇＰｏｎｇタイマ内にハンドオーバでソースＲＡＴに戻るかどうかに基づいて、ピンポン評価を行う場合もある。この場合、２つのオプションについて以下に説明する。第一に、ピンポン・イベント発生時又は（おそらく事前設定時間ウィンドウ内に）いくつかのピンポン・イベントが検出された後のいずれかに、ＲＮＣ２はステップ２でターゲットからソースへの透明コンテナを介してＩＲＡＴピンポン指示をｅＮＢ３に送信する。ＩＲＡＴピンポンを示すために新しいＸ２メッセージを含むメッセージ３ａがこれに続く。第２のオプションとして、ピンポン・イベント発生時又は（おそらく事前設定時間ウィンドウ内に）いくつかのピンポン・イベントが検出された後のいずれかに、ＲＮＣ２はリロケーション要求確認をコア・ネットワーク（ＣＮ）に送信する。更に、ＲＮＣ２は、専用ＲＩＭメッセージを介してＩＲＡＴピンポン指示をｅＮＢ１に送信する。
【００６０】
[0070]  ＩＲＡＴピンポンの将来の発生を回避するためにｅＮＢ１及びＲＮＣ２によって行うことができるアクションの例は、第１の実施形態の例に記載されているものと同様である。
【００６１】
[0071]  他の実施形態の例では、少なくともソースＲＡＴ通信ネットワーク、例えば、ＬＴＥと通信する運用及び整備（ＯａＭ）ノードは、観察期間中にＩＲＡＴハンドオーバ・ピンポン・イベントに関して１つ又は複数の基地局及び／又はＲＮＣによって決定された統計情報を受信する。ＩＲＡＴハンドオーバ・ピンポン・イベント生成は、上記で開示されているノード間信号に基づいて行うことができるであろう。従って、例えば、ｅＮＢ１、ｅＮＢ３、及び／又はＲＮＣは、観察期間についてこのような統計データを収集し、それをＯａＭノードに送信する。ＯａＭノードは、受信した統計情報に基づいてＩＲＡＴハンドオーバ・パラメータ再構成を決定し、ＵＥ接続の更なるＩＲＡＴピンポン・ハンドオーバを回避するか又は低減するために、決定したＩＲＡＴハンドオーバ・パラメータ再構成を提供する。ＩＲＡＴピンポンの将来の発生を回避するためのＯａＭのアクション及び信号の例は、無線ネットワーク・ノードについて上記の諸実施形態の例に記載されているものと同様である。
【００６２】
[0072]  図１１は、この例でＬＴＥ  ｅＮＢに相当するＲＡＴ１を有するソース基地局２８Ｓと、この例でＵＴＲＡＮ  ＮｏｄｅＢに相当するＲＡＴ２を有するターゲット基地局２８Ｔを示している。１つ又は複数のコア・ネットワーク１６、ＲＮＣ２６、及び基地局２８と通信するために１つ又は複数のネットワーク・インターフェース１４に結合されたデータ処理及び制御ユニット１２を含む運用及び整備（ＯａＭ）ノード１０が示されている。例えば、ＯａＭノード１０は、ＲＮＣ２６及び／又は基地局２８からＩＲＡＴハンドオーバ・ピンポンに関する統計及び／又は性能情報を受信することができ、例えば、妥当な測定に必要な時間、ＬＴＥソース側のＵＥコンテキスト忍耐時間、転送ネットワーク内の喪失パケットのコストなどの１つ又は複数の所定の要因に基づいて、ＴＩＲＡＴＰｉｎｇＰｏｎｇのような１つ又は複数のＩＲＡＴハンドオーバ・ピンポン・パラメータを構成することができる。
【００６３】
[0073]  また、図１１は、ＵＥ３０の一般的な諸態様並びにソース基地局２８Ｓ及び候補基地局２８Ｃについて選択された機能性も示している。ＵＥは、ＵＥが必要とする様々な動作を制御するためのデータ処理及び制御ユニット３１を含む。データ処理及び制御ユニット３１は、モバイル端末ＲＡＴ間／周波数ハンドオーバ機能４０と測定通信機能４２とを含む。加えて、データ処理及び制御ユニット３１は、１つ又は複数のアンテナ３５に接続された適切な無線トランシーバ３３に制御信号並びにデータを提供する。異なるＲＡＴ用に異なるトランシーバが存在する場合もあれば、現行ＲＡＴと通信するように構成された構成可能トランシーバが存在する場合もある。測定通信機能４２は、測定又は情報（例えば、潜在的なハンドオーバ目的のための測定又は情報）の要求又は入手が関係する時に、ソース基地局２８Ｓ及びターゲット基地局２８Ｔとの通信を制御する。ＲＡＴ間／周波数ハンドオーバ機能４０は、ハンドオーバが発生すると判断された時に呼び出される。
【００６４】
[0074]  ソース基地局２８Ｓ及びターゲット基地局２８Ｔはどちらも基地局データ処理及び制御ユニット３６を含み、これは１つ又は複数の基地局無線トランシーバ（ＴＸ／ＲＸ）３８に接続される。それぞれの基地局無線トランシーバ（ＴＸ／ＲＸ）３８は対応するアンテナ３９に接続され、そのうちの適切なものがエア・インターフェースによりＵＥ３０と通信する。
【００６５】
[0075]  ソース基地局２８Ｓのデータ処理及び制御ユニット３６は、ＲＡＴ間／周波数ハンドオーバ機能５０と測定通信機能５２とを含む。例えば、ソース基地局２８ＳはＲＡＴ間／周波数ハンドオーバ機能５０Ｓと測定通信機能５２Ｓとを含む。同様の機能はターゲット基地局に関連する無線ネットワーク・コントローラ（ＲＮＣ）２６にも見られる。それぞれの測定通信機能５２は、測定又は情報（例えば、潜在的なハンドオーバ目的のための測定又は情報）を要求又は入手するためにＵＥ３０との通信を制御し、それぞれのＲＡＴ間／周波数ハンドオーバ機能は、ハンドオーバが発生すると判断された時に呼び出される。
【００６６】
[0076]  本明細書に記載された諸実施形態の例は、独立した実施形態として考慮される場合もあれば、非限定的な例を記述するために相互に任意に組み合わせて考慮される場合もある。
【００６７】
[0077]  この技術は多くの恩恵をもたらすものである。例えば、この技術は、既知のＲＡＴ間ピンポン技法では不十分になった状況において望ましくないＲＡＴ間ハンドオーバを回避することを可能にする。
【００６８】
[0078]  上記の説明は多くの詳細を含むが、それらは限定として解釈してはならず、単にいくつかの現在好ましい実施形態の例示を提供するものと解釈しなければならない。例えば、この技術の諸実施形態の非限定的な例は、ＬＴＥ及びＧＥＲＡＮ／ＵＴＲＡＮ技術に関連して記載されている。しかし、上記の技術の原理は、その他の無線アクセス技術及びその他のＲＡＴ間ハンドオーバ・ピンポン・シナリオにも適用することができる。実際には、この技術は、当業者にとって明らかになる可能性のあるその他の実施形態を完全に包含するものである。単数形の要素に対する言及は、そのように明示的に指定されない限り、「唯一」を意味するのではなく、むしろ「１つ又は複数」を意味するためのものである。上記の諸実施形態の諸要素と構造的及び機能的に同等であって、当業者にとって既知のものはいずれも、参照により本明細書に明白に組み込まれ、包含されるものである。その上、ある装置又は方法は、上記の技術によって包含されるために、上記の技術によって解決しようと探求されているすべての問題に対処する必要はない。
【図１】
0006001097.tif 000002
【図２】
0006001097.tif 000003
【図３】
0006001097.tif 000004
【図４】
0006001097.tif 000005
【図５】
0006001097.tif 000006
【図６】
0006001097.tif 000007
【図７Ａ】
0006001097.tif 000008
【図７Ｂ】
0006001097.tif 000009
【図８】
0006001097.tif 000010
【図９】
0006001097.tif 000011
【図１０】
0006001097.tif 000012
【図１１】
0006001097.tif 000013